(57)【要約】【課題】ガラスが四辺で支持された構造でありながら、ガラス面が支柱位置で途切れた印象を極小化することにより、あたかも上下二辺支持のような美観を醸し出した手摺りを提供する。【解決手段】ガラスパネルＧの上下部は、支柱９間の上下部に夫々配置された横材６，７によって嵌合支持される。前記支柱９の室外側面であってその縦方向中心線の両側にそれぞれ、縦押縁１１，１２が支柱９に沿って配設され、前記縦押縁１１，１２と支柱９との係止部は前記縦押縁１１，１２の室内面側に設けられている。前記ガラスパネルＧの両側縁部は、前記縦押縁１１，１２の嵌合部に嵌合され、嵌合されたガラスパネル１１，１２の外面部が前記縦押縁１１，１２の室外側片内面に直接又は緩衝用シート材を介して当接し、ガラスパネルＧの内面部と前記支柱９の室外側面との間にガスケット材１３が充填されるとともに、それに隣接してシーリング材１４が充填されている。【選択図】図７
2018084028.tif 000002
【特許請求の範囲】
【請求項１】
横方向に所定間隔で立設された支柱と、これら支柱間の上下部にそれぞれ配置された横材によって四周が枠組みされ、枠組み内部にガラスパネルが配置されたフェンス又は手摺りにおいて、
前記ガラスパネルの上下部は、その上縁及び下縁が前記支柱間の上下部に夫々配置された横材によって嵌合支持され、
前記支柱の室外側面であってその縦方向中心線の両側にそれぞれ、縦押縁が支柱に沿って配設されるとともに、前記縦押縁と支柱との係止部は前記縦押縁の室内面側に設けられており、
前記ガラスパネルの両側縁部は、前記縦押縁の嵌合部に嵌合され、嵌合されたガラスパネルの外面部が前記縦押縁の室外側片内面に直接又は緩衝用シート材を介して当接し、ガラスパネルの内面部と前記支柱の室外側面との間にガスケット材が充填されるとともに、それに隣接してシーリング材が充填されていることを特徴とするフェンス又は手摺り。
【請求項２】
前記縦押縁と支柱との係止部の構造は、前記支柱の室外側面であってその縦方向中心線の両側にそれぞれ、ガラスパネルの中央側に開口を向けた略Ｌ字状の被係止部が部材長手方向に沿って１又は複数設けられ、前記縦押縁の室内側面に、ガラスパネルの外方側に開口を向けた略Ｌ字状の係止部が１又は複数設けられ、前記縦押縁の係止部を前記支柱の被係止部に係止させることによって取り付けられている請求項１記載のフェンス又は手摺り。
【請求項３】
前記ガスケット材は、断面視で略三角形状を成すことにより、充填された状態で、前記縦押縁の係止部が前記支柱の被係止部に噛み合う方向の外力と、ガラスパネルを室外側方向に押し付ける方向の外力とが作用するようにしてある請求項１、２いずれかに記載のフェンス又は手摺り。
【請求項４】
前記縦押縁に、前記ガラスパネルを除く他の構成部材と異なる着色を施している請求項１〜３いずれかに記載のフェンス又は手摺り。
【請求項５】
前記上部側横材の上面に長手通しの笠木部材が配設され、前記下部側横材の両端部は前記縦押縁の外縁端位置まで延在させてある請求項１〜４いずれかに記載のフェンス又は手摺り。
【発明の詳細な説明】
【技術分野】
【０００１】
本発明は、区画境界や敷地境界を仕切ったり、マンション、ビルなどの構造物における落下防止設備として設置されるフェンス又は通路、階段、バルコニーなどに設置される手摺りに関する。
【背景技術】
【０００２】
従来より、区画境界や敷地境界を仕切ったり、マンション、ビルなどの構造物における落下防止設備として設置されるフェンス又は通路、屋上、階段、バルコニーなどに設置される手摺りとして種々の構造のものが提案されている。
【０００３】
前記フェンス又は手摺りは、例えば所定間隔で立設した支柱によってガラスが支持された構造となっており、ガラスの支持構造は、上枠、下枠及び両側枠の四辺によってガラスを支持する四辺支持タイプと、上枠及び下枠の二辺によってガラスを支持する上下二辺支持タイプとに大別される。
【０００４】
前者の四辺支持タイプの例としては、例えば下記特許文献１に、施工面上に予め所定間隔で立設される柱用芯材と、両側部に配置された分割支柱材および上下部に配置された横材によって四周が枠組みされ、枠組内部にパネル又は複数の桟材が配置されたユニット材とから成るフェンス又は手摺り構造であって、前記ユニット材の分割支柱材は、断面視で前記柱用芯材の略片側半分を囲む半枠部を有するとともに、該半枠部の両端部に夫々、前記柱用芯材に対する係合部を有し、前記柱用芯材は前記係合部に対応する部位に被係合部を有し、上方側から前記ユニット材の半枠部を柱用芯材に落とし込むことにより、前記分割支柱材を柱用芯材に係合させて前記ユニット材の取付けが行われ、前記柱用芯材を囲む一対の分割支柱材の組合せによって支柱が構成されているとともに、前記分割支柱材同士は直接的に係合していないフェンス又は手摺り構造が開示されている。
【０００５】
一方、後者の上下二辺支持対応の例としては、例えば下記特許文献２に、コンクリート躯体から立設された支柱と、該支柱の下端近傍に固着された下枠ブラケットと、該下枠ブラケットに取り付けられた下枠と、前記支柱頭部に取り付けられた上枠と、該上枠と組み合わせて板ガラスを狭持する笠木とから構成され、  板ガラスの下端を下枠で支持し、板ガラスの上端を前記上枠と笠木の一部で狭持することガラス持出し手摺が開示されている。
【先行技術文献】
【特許文献】
【０００６】
【特許文献１】特開２００９−２８７１７４号公報
【特許文献２】特開２００５−１６３３５４号公報
【発明の概要】
【発明が解決しようとする課題】
【０００７】
前記上下二辺支持タイプの手摺りは、上枠と下枠との横方向ラインが強調されるとともに、ガラス面が水平方向に連続している外観を呈することにより、モダンな印象を与えるため、特に近年の建物では好まれる傾向にある。
【０００８】
しかしながら、マンションやビルなどの建物は、近年は徐々に高層化する傾向にあり、高層階に行くほど風荷重が大きくなり、上下二辺支持タイプではガラスの支持強度が足りなくなる問題があった。
【０００９】
一方、四辺支持タイプの手摺りの場合は、ガラスの四辺がしっかりと支持されていることにより、ガラスの支持強度が十分であるが、ガラス面が支柱位置毎に途切れて不連続になるため、美観的に劣るという問題点があった。
【００１０】
そこで本発明の主たる課題は、ガラスが四辺で支持された構造でありながら、ガラス面が支柱位置で途切れた印象を極小化することにより、あたかも上下二辺支持のような美観を醸し出したフェンス又は手摺りを提供することにある。
【課題を解決するための手段】
【００１１】
上記課題を解決するために請求項１に係る本発明として、横方向に所定間隔で立設された支柱と、これら支柱間の上下部にそれぞれ配置された横材によって四周が枠組みされ、枠組み内部にガラスパネルが配置されたフェンス又は手摺りにおいて、
前記ガラスパネルの上下部は、その上縁及び下縁が前記支柱間の上下部に夫々配置された横材によって嵌合支持され、
前記支柱の室外側面であってその縦方向中心線の両側にそれぞれ、縦押縁が支柱に沿って配設されるとともに、前記縦押縁と支柱との係止部は前記縦押縁の室内面側に設けられており、
前記ガラスパネルの両側縁部は、前記縦押縁の嵌合部に嵌合され、嵌合されたガラスパネルの外面部が前記縦押縁の室外側片内面に直接又は緩衝用シート材を介して当接し、ガラスパネルの内面部と前記支柱の室外側面との間にガスケット材が充填されるとともに、それに隣接してシーリング材が充填されていることを特徴とするフェンス又は手摺りが提供される。
【００１２】
上記請求項１記載の発明では、前記ガラスパネルの上下部は、その上縁及び下縁が前記支柱間の上下部に夫々配置された横材によって嵌合支持される。そして、前記支柱の室外側面であってその縦方向中心線の両側にそれぞれ、縦押縁が支柱に沿って配設されるとともに、前記縦押縁と支柱との係止部は前記縦押縁の室内面側に設けられる。前記ガラスパネルの両側縁部は、前記縦押縁の嵌合部に嵌合され、嵌合されたガラスパネルの外面部が前記縦押縁の室外側片内面に直接又は緩衝用シート材を介して当接し、ガラスパネルの内面部と前記支柱の室外側面との間にガスケット材が充填されるとともに、それに隣接してシーリング材が充填されている。
【００１３】
従って、ガラスパネルの４辺がそれぞれ支持された四辺支持構造のフェンス又は手摺りとすることができるため、先ず第一に、ガラスパネルの支持強度を確保することが可能となる。
【００１４】
本発明では、ガラスパネルの両側部では、支柱の室外側面に縦押縁が設けられるが、この縦押縁は室内面側に係止部を備え、支柱の室外側面に取り付けられている。従って、係止部が縦押縁の背面側に隠れて外側から見えづらくなっているとともに、背面側に係止部を設けることにより、縦押縁を比較的細い幅で構成することができ、縦ラインを目立たなくすることが可能となっている。
【００１５】
更に、ガラスパネルの両側縁部は、前記縦押縁の嵌合部に嵌合され、嵌合されたガラスパネルの外面部が前記縦押縁の室外側片内面に直接又は緩衝用シート材を介して当接し、ガラスパネルの内面部と前記支柱の室外側面との間にガスケット材が充填されるとともに、それに隣接してシーリング材が充填されている。このように、ガラスパネルの外面側にはガスケットやシール材を設けることなく、外面部が前記縦押縁の室外側片内面に直接又は緩衝用シート材を介して当接するようにすることで、外部斜め側から見たときに縦ラインの印象が小さくなる。
【００１６】
以上の構成を備える本発明に係る手摺り又はフェンスは、ガラスが四辺で支持された構造でありながら、ガラス面が支柱位置で途切れた印象を極小化することにより、あたかも上下二辺支持のような美観を醸し出したフェンス又は手摺りとなっている。
【００１７】
請求項２に係る本発明として、前記縦押縁と支柱との係止部の構造は、前記支柱の室外側面であってその縦方向中心線の両側にそれぞれ、ガラスパネルの中央側に開口を向けた略Ｌ字状の被係止部が部材長手方向に沿って１又は複数設けられ、前記縦押縁の室内側面に、ガラスパネルの外方側に開口を向けた略Ｌ字状の係止部が１又は複数設けられ、前記縦押縁の係止部を前記支柱の被係止部に係止させることによって取り付けられている請求項１記載のフェンス又は手摺りが提供される。
【００１８】
上記請求項２記載の発明は、前記縦押縁と支柱との係止部の構造例を示したものである。具体的には、前記支柱の室外側面であってその縦方向中心線の両側にそれぞれ、ガラスパネルの中央側に開口を向けた略Ｌ字状の被係止部が部材長手方向に沿って１又は複数設けられ、前記縦押縁の室内側面に、ガラスパネルの外方側に開口を向けた略Ｌ字状の係止部が１又は複数設けられ、前記縦押縁の係止部を前記支柱の被係止部に係止させることによって取り付けられている構造とすることができる。このような係止構造とすることにより、充填したガスケット材及びシーリング材によってしっかりと固定できるようになる。
【００１９】
請求項３に係る本発明として、前記ガスケット材は、断面視で略三角形状を成すことにより、充填された状態で、前記縦押縁の係止部が前記支柱の被係止部に噛み合う方向の外力と、ガラスパネルを室外側方向に押し付ける方向の外力とが作用するようにしてある請求項１、２いずれかに記載のフェンス又は手摺りが提供される。
【００２０】
上記請求項３記載の発明は、ガラスパネルをしっかりと固定するためのガスケット材の形状例を示したものである。具体的には、ガスケット材は、断面視で略三角形状を成すことにより、充填された状態で、前記縦押縁の係止部が前記支柱の被係止部に噛み合う方向の外力と、ガラスパネルを室外側方向に押し付ける方向の外力とが作用するようにしたものを好適に使用することができる。
【００２１】
請求項４に係る本発明として、前記縦押縁に、前記ガラスパネルを除く他の構成部材と異なる着色を施している請求項１〜３いずれかに記載のフェンス又は手摺りが提供される。
【００２２】
上記請求項４記載の発明は、縦押縁を目立たなくして、横ラインが強調されるようにするための工夫例を示したものである。具体的には、前記縦押縁に、ガラスパネルを除く他の構成部材と異なる着色を施すようにしてもよい。着色は前記縦押縁をガラスパネルを除く他の構成部材よりも目立たない色とするのがよい。より好ましくは、前記縦押縁をガラスパネルと同色又はこれに近似する色とすることにより、縦押縁を最大限に目立たなくすることが可能となる。
【００２３】
請求項５に係る本発明として、前記上部側横材の上面に長手通しの笠木部材が配設され、前記下部側横材の両端部は前記縦押縁の外縁端位置まで延在させてある請求項１〜４いずれかに記載のフェンス又は手摺りが提供される。
【００２４】
上記請求項５記載の発明では、横ラインを強調するための工夫例を示したものである。具体的には、前記上部側横材の上面に長手通しの笠木部材が配設され、前記下部側横材の両端部は前記押縁の外縁端位置まで延在させるようにすることにより、横ラインが強調されるようになる。
【発明の効果】
【００２５】
以上詳説のとおり本発明によれば、ガラスが四辺で支持された構造でありながら、ガラス面が支柱位置で途切れた印象を極小化することにより、あたかも上下二辺支持のような美観を醸し出したフェンス又は手摺りを提供することができるようになる。
【図面の簡単な説明】
【００２６】
【図１】本発明に係る手摺り１を示す、(A)は正面図、(B)は水平横断面図である。
【図２】図１のII−II線矢視図（縦断面図）である。
【図３】図１のIII−III線矢視図（横断面図）である。
【図４】図１のIV−IV線矢視図（横断面図）である。
【図５】支柱９の拡大断面図である。
【図６】曲げ捻り防止部材１０を構成する一方側の断面Ｌ字状部材１０Ｂを示す、(A)は平面図、(B)は右側面図である。
【図７】縦押縁１１，１２及び横材６，７の納まり状態を示す要部斜視図である。
【図８】柱用芯材２を示す平面図である。
【図９】柱用芯材２の建込み状態を示す側面図である。
【図１０】ユニット３の正面図である。
【図１１】ユニット３の横断面図（図１０のXI-XI線矢視図）である。
【図１２】施工要領図（その１）である。
【図１３】施工要領図（その２）である。
【図１４】施工要領図（その３）である。
【図１５】施工要領図（その４）である。
【発明を実施するための形態】
【００２７】
以下、本発明の実施の形態について図面を参照しながら詳述する。
【００２８】
手摺り１は、図１〜図５に示されるように、施工面上に予め所定間隔で立設される柱用芯材２，２…と、これら柱用芯材２，２…によって支持され、横方向に所定間隔で立設された支柱９と、この支柱９の上下部に配置された横材６，７とを備え、前記支柱９、９と横材６，７とによって四周が枠組みされるとともに、この枠組み内部にガラスパネルＧが配置され、更に上部側横材６の上面に長手通しの笠木部材８が配設された構造である。本例では特に、前記支柱９が左右一対の分割支柱材４，５を組み合わせることによって構成された分割支柱とされ、前記分割支柱材４，５と前記横材６，７とによって予め四周が枠組みされたユニット材３が構成され、後述するように、各ユニット３，３…毎に施工される。前記支柱９の高さ方向中間であって、支柱９の内部には、曲げ捻れ防止部材１０が配設されている。
【００２９】
前記手摺り１では、前記ガラスパネルＧの上下部は、その上縁及び下縁が前記支柱９間の上下部に夫々配置された横材６，７によって嵌合支持され、前記支柱９の室外側面であってその縦方向中心線の両側にそれぞれ、縦押縁１１，１２が支柱９に沿って配設されるとともに、前記縦押縁１１，１２と支柱９との係止部は前記縦押縁１１、１２の室内面側に設けられている。
【００３０】
前記ガラスパネルＧの両側縁部は、前記縦押縁１１，１２の嵌合部に嵌合され、嵌合されたガラスパネルＧの外面部が前記縦押縁１１，１２の室外側片内面に直接又は緩衝用シート材を介して当接し、ガラスパネルＧの内面部と前記支柱９の室外側面との間にガスケット材１３が充填されるとともに、それに隣接してシーリング材１４が充填されている。
【００３１】
以下、更に具体的に詳述する。
【００３２】
前記柱用芯材２は、詳細には図８に示されるように、断面略横Ｈ形状を成すアルミ形材であり、ウエブ２Ａの前後２箇所にアンカーボルト通孔２ａ、２ａを有し、一方側フランジ２Ｂの外面中央に凹状の切欠き２Ｄを有するとともに、他方側フランジ２Ｃの外面中央に凹状の切欠き２Ｅを有する。これら切欠き２Ｄ、２Ｅによって形成された右側のウエブ２Ａを跨いだ前後対の段部が前記分割支柱材４のための被係合部２ｂ、２ｃを構成し、左側のウエブ２Ａを跨いだ前後対の段部が前記分割支柱材５のための被係合部２ｄ、２ｅを構成する。
【００３３】
前記柱用芯材２は、図９に示されるように、アンカーボルト通孔２ａ、２ａの下端側にタップ加工を施すとともに、アンカーボルト１５，１５の上端側（ネジ部）を螺合接続しておき、アンカーボルト１５の下端側を施工面を構成しているコンクリート基礎Ｈに対して横方向に所定間隔Ｌで埋設固定することにより立設されている。
【００３４】
前記支柱９は、左右一対の分割支柱材４，５を組み合わせることによって構成された分割支柱とされる。前記分割支柱材４は、押出し成型されたアルミ形材とされ、詳細には図５に示されるように、断面視で前記柱用芯材２の略片側半分を囲む溝型断面の半枠部４Ａを有するとともに、該半枠部４Ａの両端部に夫々、前記柱用芯材２に対する係合部４ａ、４ｂを有する。これら係合部４ａ、４ｂは内部側に突出する突片部分を有し、同時に前記曲げ捻れ防止部材１０の被係止部を構成している。前記半枠部４Ａには、高さ方向中間であって、前記支柱９の内部に、前記曲げ捻れ部材１０を構成する一方の断面Ｌ字状部材１０Ｂが半枠部４Ａに設けられた座面用Ｌ字突出片４ｃに対してビス１６によって固定されている。前記半枠部４Ａの室外側面には、ガラスパネルＧの中央側に開口を向けた略Ｌ字状の被係止部４ｄ、４ｄが部材長手方向に沿って１又は複数、図示では２つ設けられている。さらに、前記半枠部４Ａの内部には組立て用ビスポケット１７が２箇所設けられている。
【００３５】
一方の分割支柱材５も同様に、押出し成型されたアルミ形材とされ、図５に示されるように、断面視で前記柱用芯材２の略片側半分を囲む溝型断面の半枠部５Ａを有するとともに、該半枠部５Ａの両端部に夫々、前記柱用芯材２に対する係合部５ａ、５ｂを有する。これら係合部５ａ、５ｂは内部側に突出する突片部分を有し、同時に前記曲げ捻れ防止部材１０の被係止部を構成している。前記半枠部５Ａには、高さ方向中間であって、前記支柱９の内部に、前記曲げ捻れ部材１０を構成する他方の断面Ｌ字状部材１０Ａが半枠部５Ａに設けられた座面用Ｌ字突出片５ｃに対してビス１６によって固定されている。前記半枠部５Ａの室外側面には、ガラスパネルＧの中央側に開口を向けた略Ｌ字状の被係止部５ｄ、５ｄが部材長手方向に沿って１又は複数、図示では２つ設けられている。さらに、前記半枠部５Ａの内部には組立て用ビスポケット１１７が２箇所設けられている。
【００３６】
前記分割支柱材４と分割支柱材５とを組み合わせることにより、支柱９が構成されるとともに、前記半枠部同士４Ａ、５Ａによって矩形状中空部Ｍが形成されるようになっている。
【００３７】
前記捻れ防止部材１０を構成する前記断面Ｌ字状部材１０Ａ、１０Ｂとしては、同じ部材が使用されており、片方を天地反対として使用し、組み合わせることにより断面矩形状となる。代表的に断面Ｌ字状部材１０Ｂについて、図６に基づいて詳述する。
【００３８】
前記断面Ｌ字状部材１０Ｂは、断面視で一方側端部に上下方向に貫通する溝型形状の溝型継手係合部１０ａを備え、他方側端部に直角に屈曲する屈曲継手係合部１０ｂを備えている。長辺側において前記溝型継手係合部１０ａの隣接位置にビス孔１０ｃを備えるとともに、このビス孔１０ｃに近接する位置に位置決め用係止部１０ｄを備える。また、天地反対使用を可能とするために、長辺の対象位置にビス孔１０ｅと位置決め用係止部１０ｆを備える。また、短辺側において、前記半枠部４Ａに形成した係合部４ｂを押さえる係止部１０ｇを備えている。部材の長さ寸法Ｓは、５０〜１００mm程度とされる。
【００３９】
前記断面Ｌ字状部材１０Ａ、１０Ｂを組み合わせるには、図５に示されるように、一方の断面Ｌ字状部材１０Ｂの溝型継手係合部１０ａに対して、他方の断面Ｌ字状部材１０Ａの屈曲継手係合部１０ｂを嵌合させ、他方の断面Ｌ字状部材１０Ａの溝型継手係合部１０ａに対して、一方の断面Ｌ字状部材１０Ｂの屈曲継手係合部１０ｂを嵌合させるようにする。断面Ｌ字状部材１０Ａ、１０Ｂを組み合わせ支柱９の取付け状態では、支柱９の一方側の継ぎ目位置で、半枠部４Ａの係合部４ａと半枠部５Ａの係合部５ａとの一対の突片部材を、前記溝型継手係合部１０ａを構成する一方側部材（係止部を構成）と前記係止部１０ｇとにより両側から押さえるようになっている。また、支柱９の他方側の継ぎ目位置でも同様に、半枠部４Ａの係合部４ｂと半枠部５Ａの係合部５ｂとの一対の突片部材を、前記溝型継手係合部１０ａを構成する一方側部材（係止部を構成）と前記係止部１０ｇとにより両側から押さえるようになっている。
【００４０】
前記曲げ捻れ防止部材１０の取付け位置は、柱用芯材２の配設位置は堅固に固定されているため曲げ捻れ変形は生じないとして、図２に示されるように、支柱９の支柱高さＨに対して、柱用芯材２の長さ寸法Ｃを減算し、図示のように、高さ方向に１ヶ所設ける場合は、１／２（Ｈ−Ｃ）の高さ位置若しくはこの高さ位置の±２００mmの範囲に設けるようにし、仮に２ヶ所設ける場合は、１／３（Ｈ−Ｃ）及び２／３（Ｈ−Ｃ）の高さ位置若しくはこの高さ位置の±２００mmの範囲に設けるようにするのが望ましい。設置数については、支柱９の中間位置に１又は２ヶ所設けるようにすれば、十分に曲げ捻れに対して抵抗できることが試験により確認されている。
【００４１】
前記曲げ捻れ防止部材１０は、一対の断面Ｌ字状部材１０Ａ、１０Ｂ同士を組み合わせることにより断面矩形状を成し、周方向に閉合しているとともに、前記半枠部４Ａ、５Ａの継ぎ目位置に存在している一対の突片部分４ａ、５ａ（４ｂ、５ｂ）を両側から押さえる係止部１０ａ、１０ｇを有するため、Ｘ方向及びＹ方向に対する断面剛性を補強するとともに、捻れ剛性Ｔを補強するため、支柱９に過大な風荷重が加わったり、人為的に過渡の力が加えられたとしても、支柱９が弱軸に向かって捻れながら変形する現象（曲げ捻れ変形）が生じるのを防止することができる。
【００４２】
前記ガラスパネルＧの上下部では、図２に示されるように、その上縁及び下縁が前記支柱９，９間の上下部に夫々配置された横材６，７によって嵌合支持されている。
【００４３】
前記上部側横材６は、押出し成型されたアルミ形材とされ、同図２に示されるように、前記分割支柱材４、５の半枠部４Ａ、５Ａに対応する部分に平板状の天板部６Ａを有し、この天板部６Ａに隣接する前側位置に、内方側に開口溝を向けた断面略コ字状のパネル嵌合溝部６Ｂを備えている。
【００４４】
前記下部側横材７も同じく押出し成型されたアルミ形材とされ、台形状の中空部７Ａに隣接する前側位置に、内方側に開口溝を向けた断面略コ字状のパネル嵌合溝部７Ｂを備えている。このパネル嵌合溝部７Ｂは、前記中空部７Ａから延在する底面部７Ｂと、この底面部７Ｂに取り付けられた見付け板７Ｃとから構成されている（図７参照）。前記見付け板７Ｃは、図４に示されるように、前記縦押縁１１，１２の外縁端位置まで延在させるようにするのが望ましい。
【００４５】
前記ガラスパネルＧは、上縁部が前記パネル嵌合溝部６Ｂに嵌合され、その前側と後側にそれぞれバックアップ材及びシーリング材が充填されることにより嵌合支持され、下縁部が前記パネル嵌合溝７Ｂに嵌合され、その前側と後側にそれぞれバックアップ材及びシーリング材が充填されることにより嵌合支持されている。なお、前記ガラスパネルＧの支持は、前記バックアップ材及びシーリング材に代えて、グレジーングチャンネルによって支持するようにしてもよい。
【００４６】
一方、前記ガラスパネルＧの両側部においては、前記支柱９の室外側面であってその縦方向中心線の両側にそれぞれ、縦押縁１１，１２が支柱９に沿って配設されるとともに、前記縦押縁１１，１２と支柱９との係止部は前記縦押縁１１，１２の室内面側であってその幅内に設けられている。具体的には、図５に示されるように、前記縦押縁１１，１２には、その室内側面に、ガラスパネルＧの外方側に開口を向けた略Ｌ字状の係止部１１ａ、１２ａが１又は複数、図示例では２つ設けられ、前記縦押縁１１，１２の係止部１１ａ、１２ａを前記支柱９（分割支柱材４，５）の被係止部４ｄ、５ｄに係止させることによって取り付けられている。従って、前記係止部１１ａ、１１ｂが縦押縁１１，１２の背面側に隠れて外側から見えづらくなっているとともに、背面側に係止部を設けることにより、縦押縁１１，１２を比較的細い幅で構成することができ、縦ラインを目立たなくすることができる。
【００４７】
前記ガラスパネルＧの両側縁部は、前記縦押縁１１，１２の嵌合部に嵌合され、嵌合されたガラスパネルＧの外面部が前記縦押縁１１，１２の室外側片１１ａ、１２ａの内面に直接又は緩衝用シート材（図示せず）を介して当接し、ガラスパネルＧの内面部と前記支柱９の室外側面との間にガスケット材１３が充填されるとともに、それに隣接してシーリング材１４が充填されている。前記緩衝用シート材は、縦押縁１１，１２の表面に極微少でも凸部が存在している場合、ガラスパネルＧに対して集中応力が発生し破壊が起こる恐れがあるためこれを防止するために設置するものである。前記緩衝用シート材としては、薄いゴムシートや樹脂シート材を用いることができる。厚みは概ね０．５〜３mm、好ましくは１〜２mm程度が望ましい。
【００４８】
以上のように、ガラスパネルＧの外面側にはガスケットやシール材を設けることなく、外面部が前記縦押縁１１，１２の室外側片内面に直接又は緩衝用シート材を介して当接するようにすることで、外部斜め側から見たときに縦ラインの印象が小さくなる。
【００４９】
また、前記ガスケット材１３は、バックアップ材としての機能の他に、同図５に示されるように、断面視で略三角形状を成すことにより、充填された状態で、前記縦押縁１１，１２の係止部１１ａ、１２ａが前記支柱９の被係止部４ｄ、５ｄに噛み合う方向の外力Ｆと、ガラスパネルＧを室外側方向に押し付ける方向の外力Ｐとが作用するようになっている。すなわち、前記ガスケット材１３は、前記外力Ｆによって縦押縁１１，１２の外止め防止を担い、前記外力ＰによってガラスパネルＧの押圧支持を担うようになっている。
【００５０】
前記縦押縁１１，１２は、目立たなくするために、他の構成部材、具体的には外側から見える支柱９，笠木８や下横材７などの部材とは異なる着色を施すようにしてもよい。この場合、縦ラインを目立たなくするために、他の構成部材よりも相対的に薄い色とするのが望ましく、前記縦押縁１１，１２の色をガラスパネルＧと同色又はこれに近似する色とすることがより望ましい。また、縦押縁１１，１２の設置に当たっては、図７に示されるように、セッティングブロック１８を下部側横材７の溝内に設置することにより、縦押縁１１，１２の落下防止とともに、ガスケット材１３の落下防止を図るようにすることが望ましい。
【００５１】
次に、前記手摺り１の施工手順について図１０〜図１５に基づいて詳述する。
【００５２】
前記ユニット材３は、詳細には図１０及び図１１に示されるように、両側部に配置された分割支柱材４、５及び縦押縁１１，１２と、上下部に配置された横材６，７とによって四周が枠組みされ、枠組内部にガラスパネルＧが配置されたもので、基本的には工場製作され現場に搬入される。なお、分割支柱材４，５の下端部が下部側横材７よりも若干突出し、脚部１７を有するように組立てられている。
【００５３】
先ず、図１２に示されるように、コンクリート基礎Ｈ面上に、所定の柱間隔Ｌの間隔で前記柱用芯材２，２…を立設する。アンカーボルト１５の固定は、公知の種々の方法を採用することができるが、例えば樹脂注入アンカー方式を好適に採用することができる。樹脂注入アンカー方式は、二液樹脂接着剤を穿孔内に充填し、アンカーボルト１５を挿入し樹脂による固着によってアンカーボルト１５の固定を図るものである。
【００５４】
次いで、図１３に示されるように、ユニット材３を順次持ち込み、両側部の分割支柱材４，５の半枠部４Ａ、５Ａを柱用芯材２，２に落とし込むことにより、前記分割支柱材４，５を柱用芯材２，２に係合させて前記ユニット材３の取付けを順次行う。ユニット材３の設置状態では、図５に示されるように、前記分割支柱材４の半枠部４Ａの係合部４ａ、４ｂが柱用芯材２の被係合部２ｂ、２ｃに係合し、前記分割支柱材５の半枠部５Ａの係合部５ａ、５ｂが柱用芯材の被係合部２ｄ、２ｅに係合するように取付けられ、前記柱用芯材２を囲む一対の分割支柱材４，５の組合せによって支柱９、９…が構成される。
【００５５】
また、図１４に示されるように、設置済みの分割支柱材４に対して、隣接する分割支柱材５を落し込みによって係合させる際、設置済みの分割支柱材５に設けられた断面Ｌ字状部材１０Ｂに対して、隣接する分割支柱材５に設けられた他方の断面Ｌ字状部材１０Ａを嵌合させる手順によって曲げ捻れ防止部材１０を設置する。設置状態では、一方側の断面Ｌ字状部材１０Ｂの溝型継手係合部１０ａと他方側の断面Ｌ字状部材１０Ａの屈曲継手係合部１０ｂとが係合するとともに、一方側の断面Ｌ字状部材１０Ｂの屈曲継手係合部１０ｂと他方側の断面Ｌ字状部材１０Ａの溝型継手係合部１０ａとが係合することにより、断面矩形状を成しており、かつ前記半枠部４Ａ、５Ａの継ぎ目位置に存在している一対の突片部分４ａ、５ａ（４ｂ、５ｂ）を曲げ捻れ防止部材１０の係止部１０ａ、１０ｇが両側から押さえるようになっている。
【００５６】
各ユニット材３，３…の取付けが完了したならば、図１５に示されるように、前記上部側横材６の上面に長手通しの笠木部材８を配設し、図２に示されるように笠木部材８をビス２２、２２…によって固定する。最後に、各支柱材９の基端部を囲むように付け根カバー２４を設置して施工を完了する。なお、前記付け根カバー２４は半割構造とされ、支柱材９の外側から設置可能となっている。
【００５７】
〔他の形態例〕
(1)上記形態例では、手摺り１の例を説明したが、フェンスについても全く同様の構造を採用することができる。
(2)上記形態例では、予めガラスパネルＧを組み込んだユニット３を順次取り付けるようにしたが、押縁方式としているためガラスパネルＧを後施工によって取り付けるようにしてもよい。また、本手摺りでは押縁方式としているため、破損した場合に、ガラスパネルＧの交換や修理が容易に行えるようになる。
【符号の説明】
【００５８】
１…手摺り、２…柱用芯材、３…ユニット材、４・５…分割支柱材、４Ａ・５Ａ…半枠部、６…上部側横材、７…下部側横材、８…笠木部材、９…支柱、１０…曲げ捻れ防止部材、１０Ａ・１０Ｂ…断面Ｌ字状部材、１１・１２…縦押縁、１３…ガスケット材、１４…シーリング材、１５…アンカーボルト、Ｇ…ガラスパネル、Ｍ…矩形状中空部
【図１】
2018084028.tif 000003
【図２】
2018084028.tif 000004
【図３】
2018084028.tif 000005
【図４】
2018084028.tif 000006
【図５】
2018084028.tif 000007
【図６】
2018084028.tif 000008
【図７】
2018084028.tif 000009
【図８】
2018084028.tif 000010
【図９】
2018084028.tif 000011
【図１０】
2018084028.tif 000012
【図１１】
2018084028.tif 000013
【図１２】
2018084028.tif 000014
【図１３】
2018084028.tif 000015
【図１４】
2018084028.tif 000016
【図１５】
2018084028.tif 000017